(57)【要約】【課題】  撮像装置の接続端子にプラグが接続されたことを自動検出する、小型化が可能なプラグ接続検出装置を提供すること。【解決手段】  本発明は、接続端子に形成される光入射孔と光出射孔と、前記光入射孔に光を入射させる発光素子と、前記光出射孔から出射される光を受光する受光素子と、前記光入射孔と前記光出射孔との間に形成される光路が遮光された場合に前記接続端子にプラグが挿入されたと判断する接続検出回路、一の発光素子から出射される光を二分光し、対の接続端子の各光入射孔に導光する分光素子とを備えたプラグ接続検出装置により、接続端子に接続されたプラグを自動検出する。【選択図】図７
2009152005.tif 000002
【特許請求の範囲】
【請求項１】
接続端子に形成される光入射孔と光出射孔と、前記光入射孔に光を入射させる発光素子と、前記光出射孔から出射される光を受光する受光素子と、前記光入射孔と前記光出射孔との間に形成される光路が遮光された場合に前記接続端子にプラグが挿入されたと判断する接続検出回路、一の発光素子から出射される光を分光し、各接続端子の各光入射孔に導光する分光素子とを備えたことを特徴とする、プラグ接続検出装置。
【請求項２】
さらに、前記各接続端子を収納するフレームを備え、前記フレームは透明部材から成り、前記分光素子は前記フレームと一体的に構成されることを特徴とする、請求項１に記載のプラグ接続検出装置。
【請求項３】
前記分光素子は、プリズムであることを特徴とする、請求項２に記載のプラグ接続検出装置。
【請求項４】
前記接続検出回路により前記プラグ挿入が検出された場合に、挿入されたプラグに関連する回路を活性化する能動素子を備えたことを特徴とする、請求項１に記載のプラグ接続検出装置。
【請求項５】
接続端子に形成される光入射孔と光出射孔と、前記光入射孔に光を入射させる発光素子と、前記光出射孔から出射される光を受光する受光素子と、前記光入射孔と前記光出射孔との間に形成される光路が遮光された場合に前記接続端子にプラグが挿入されたと判断する接続検出回路、一の発光素子から出射される光を分光し各接続端子の各光入射孔に導光する分光素子とを備えたことを特徴とする、撮像装置。
【請求項６】
さらに、前記接続端子対を収納するフレームを備え、前記フレームは透明部材から成り、前記分光素子は前記フレームと一体的に構成されることを特徴とする、請求項５に記載の撮像装置。
【請求項７】
前記分光素子は、プリズムであることを特徴とする、請求項６に記載の撮像装置。
【請求項８】
前記接続検出回路により前記プラグ挿入が検出された場合に、挿入されたプラグに関連する回路を活性化する能動素子を備えたことを特徴とする、請求項５に記載の撮像装置。
【請求項９】
前記接続端子は、マイクロホンプラグ用の接続端子であることを特徴とする、請求項５に記載の撮像装置。
【発明の詳細な説明】
【技術分野】
【０００１】
本発明は、接続端子の検出機構に関し、特に複数の接続端子を有する撮像装置に関する。
【背景技術】
【０００２】
撮像装置、例えばカムコーダにおいては、映像収録と同時に集音マイクロホンを通じて入力される音声を同時収録することができる。また、報道などで使用される業務用カムコーダにおいては、集音マイクロホンによる音声収録に加え、外部マイクロホンを接続端子に挿入することによりカムコーダと接続することで、かかる外部マイクロホンを通じて入力される音声を収録することが可能である。
【０００３】
この際、ユーザは外部マイクロホンによる音声収録をするためには通常、外部マイクロホンがカムコーダに接続されたことを認識させるために、手動で入力選択スイッチを切り替える等の作業が必要となる。かかる作業はユーザにとって煩雑となるばかりでなく、仮に外部マイクロホンをカムコーダに接続したにもかかわらず入力選択スイッチを切り替えるのを忘れた場合には、重大な音声収録ミスが発生するなどといった問題が生じてしまう。よって、かかる問題を解決するためにも外部マイクロホンがカムコーダに接続されたことを自動検出することにより、ユーザの入力接続の切り替え操作忘れによる収録ミスを防止する必要がある。
【０００４】
かかる問題を解決するために、特開平１１−３３６９７４号公報においては、接続端子部に接続端子の接続有無を判別する接続検出手段を設ける装置が開示される。当該装置は、発光素子と、かかる発光素子に対向配置されて検出信号を生成する受光素子とを備え、接続端子が端子接続部に接続されると、発光素子からの光が遮光され、受光素子が発生する検出信号に基づいて、接続端子の接続有無を自動検出することができる。
【特許文献１】特開平１１−３３６９７４号公報
【発明の開示】
【発明が解決しようとする課題】
【０００５】
しかし、かかる検出方法においては、それぞれの接続端子に対して１対の素子、すなわち１の発光素子およびかかる発光素子に対応する１の受光素子が必要となる。したがって、接続端子を複数有するカムコーダにおいては、それぞれの接続端子に対応するそれぞれの発光素子および受光素子が必要となる。これにより、接続装置の大型化およびコストアップ等の問題が発生する。特に、報道用などを主目的とする業務用のカムコーダは、一般に複数の外部マイクロホン用の接続端子を有しており、また使用目的を考慮すると軽量化が要求されるため、素子数の軽減によるスペースの確保が要求される。
【０００６】
そこで、本発明は、上記問題に鑑みてなされたものであり、発光素子の数量を最小限にすることで省スペースを実現する、新規かつ改良されたプラグ接続検出装置を提供するものである。
【課題を解決するための手段】
【０００７】
本発明におけるプラグ接続検出装置は、接続端子に形成される光入射孔と光出射孔と、前記光入射孔に光を入射させる発光素子と、前記光出射孔から出射される光を受光する受光素子と、前記光入射孔と前記光出射孔との間に形成される光路が遮光された場合に前記接続端子にプラグが挿入されたと判断する接続検出回路、一の発光素子から出射される光を分光し、各接続端子の各光入射孔に導光する分光素子から構成される。
【０００８】
かかる構成においては、発光素子から発光された光は、分光素子により分光され、それぞれの接続端子の光入射孔に入射し、その後それぞれの接続端子の光出射孔を通過して受光素子へ到達する。本装置に備えられる接続検出回路は、受光素子からの信号を検出することでプラグの接続有無を判断する。したがって、例えばユーザがいずれかの接続端子にプラグを挿入した場合、発光素子から受光素子へ向かう光が遮光されるため、接続検出回路が受光素子からの信号変化を検出することで、各接続端子におけるプラグの接続有無を検出することが可能となる。すなわち、分光素子を備えることにより１の発光素子のみで複数の受光素子へ光を照射することが可能となり、結果として検出装置の小型化を実現することができる。
【０００９】
さらに本発明のプラグ接続検出装置は、前記各接続端子を収納するフレームを備え、前記フレームは透明部材から成り、前記分光素子は前記フレームと一体的に構成されることができる。通常、発光素子および受光素子を搭載した基板を取り付けるためのフレームが必要となるが、かかるフレームと前記分光素子を一体的に備えることで、分光素子装置を別途備える必要がなく、フレーム自体に分光機能を与えることができる。
【００１０】
また前記分光素子はプリズムとすることができ、この場合、前記発光素子から発光された光はプリズム内で反射され、それぞれの接続端子の光入射孔に入射され、その後それぞれの接続端子の光出射孔を通過してそれぞれの受光素子へ到達する。
【００１１】
本発明のプラグ接続検出装置は、接続検出回路によりプラグ挿入が検出された場合に、挿入されたプラグに関連する回路を活性化する能動素子を備えることができる。通常撮像装置等においては、検出装置によりプラグ接続が認識されると、かかるプラグと連携した機能を動作するための処理が実行される。したがって本発明においては、プラグが挿入され発光素子から受光素子へ向かう光を遮光することによりプラグ挿入が自動検出されると、前記能動素子により、かかるプラグと連携した機能を動作するための処理回路が活性化され、当該機能が動作されることとなる。
【発明を実施するための最良の形態】
【００１２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１３】
（１）カムコーダの全体構成
まず、図１を参照して、本発明の一実施形態に係るカムコーダ１００の構成について説明する。図１は、本実施形態に係るカムコーダ１００を示す外観図である。
【００１４】
カムコーダ１００は、例えば光ディスク１０などの記録媒体に映像データや音声データ等を記録可能な撮像装置である。カムコーダ１００は、図１に示すように、例えばカメラ本体部１０１と、ＣＣＤカメラ部１０３と、マイクロホン１０４などからなり、バッテリ１８０やアダプタ１８０などのカメラ付属品がカメラ本体部１０１に対して着脱可能である。なお、記録媒体は、ＤＶＤ、ブルーレイディスク等の光ディスク１０に限定されず、例えばハードディスク、フラッシュメモリなどであってもよい。
【００１５】
カメラ本体部１０１は、光ディスク１０を収容、取り出しすることができ、ＣＣＤカメラ部１０３が出力した映像データやマイクロホン１０４が出力した音声データ等を光ディスク１０に記録したり、光ディスク１０上に記録された映像データ等を再生したりする。カメラ本体部１０１、ＣＣＤカメラ部１０３、マイクロホン１０４などは、バッテリ１８０や接続される電線ケーブル（図示せず。）を介して電力が供給されて駆動される。
【００１６】
ＣＣＤカメラ部１０３は、被写体からの光を撮像面に結像させるレンズ等の光学系と、撮像面を有するＣＣＤ（Ｃｈａｒｇｅ  Ｃｏｕｐｌｅｄ  Ｄｅｖｉｃｅ）などの撮像素子などからなる。ＣＣＤカメラ部１０３は、レンズを通して捉えた被写体像を電気信号に変換して出力する。なお、本願発明の撮像装置に用いられる撮像素子は、ＣＣＤに限定されず、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などであってもよい。マイクロホン１０４は、音声を集音して、音声を電気信号に変換して出力する。
【００１７】
また、カムコーダ１００は、ＣＣＤカメラ部１０３と反対に位置する背面部に、バッテリ１８０やアダプタ１８０が着脱可能である。アダプタ１８０は、例えば、光ディスク１０以外の記録媒体（例えばメモリカード）に映像データ等を記録する媒体記録用アダプタである。メモリカード１２は、例えばフラッシュメモリや小型のハードディスクなどであり、カードアダプタ１８１に収容される。そして、アダプタ１８０は、カードアダプタ１５１が装着されて、カメラ本体部１０１に取り付けられることによって、映像データ、音声データ等を送受信することができ、メモリカード１２にデータを記録したり、メモリカード１２上のデータを再生したりすることができる。
【００１８】
なお、アダプタ１８０は、上述した媒体記録用アダプタに限定されず、例えば、映像信号を光ディスク１０に記録する際のフォーマット以外のフォーマットに変換するコンバーター用アダプタや、カメラ本体部１０１に設けられた出力端子以外の端子を備えた外部出力用アダプタなどでもよく、その構成や機能によって限定されない。
【００１９】
次に、図２を参照して、本実施形態に係るカムコーダ１００の回路構成について説明する。図２は、本実施形態に係るカムコーダ１００を示すブロック図である。
【００２０】
図２に示すように、カムコーダ１００のカメラ本体部１０１は、例えば、ビデオプロセッサ１１０、エンコーダ１１１、メモリ１１２、オーディオプロセッサ１１３、オーディオ圧縮部１１４、メモリ１１５、メタデータ生成部１１６、メモリ１１７、ＣＰＵ１１８、ユーザインタフェース１１９、ファイルマネージャ１２０、ディスクドライブ１２１などからなる。
【００２１】
ビデオプロセッサ１１０は、ＣＣＤカメラ部１０３から出力された電気信号を受けて、電気信号をＡＤ（アナログデジタル）変換し映像データ信号を生成する。ビデオプロセッサ１１０は、生成した映像データ信号をエンコーダ１１１に送る。また、ビデオプロセッサ１１０は、画像データ信号の輝度レベルに変化があったときは、輝度レベルの変化に関する情報をメタデータ生成部１１６へ出力する。
【００２２】
エンコーダ１１１は、映像データ信号に対してＭＰＥＧ２規格に準拠した例えばＭＰＥＧ−ＩＭＸ方式やＭＰＥＧ−ＨＤ方式、ＤＶ規格に準拠したＤＶＣＡＭ方式などの圧縮符号化方式に圧縮符号化し、その結果得られる符号化データを、メモリ１１２を介してファイルマネージャ１２０に送る。
【００２３】
マイクロホン１０４は、集音して得られた電気信号をオーディオプロセッサ１１３へ送る。オーディオプロセッサ１１３は、電気信号をＡＤ（アナログデジタル）変換し音声データ信号を生成する。オーディオプロセッサ１１３は、生成した音声データ信号をオーディオ圧縮部１１４へ送る。また、オーディオプロセッサ１１３は、音声データ信号のレベルが所定値を超えた場合、レベルオーバーしたという情報をメタデータ生成部１１６へ出力する。
【００２４】
オーディオ圧縮部１１４は、音声データ信号をオーディオ圧縮の規格によって圧縮符号化し、その結果得られる圧縮オーディオデータを、メモリ１１５を介してファイルマネージャ１２０に送る。なお、オーディオ圧縮部１１４は、音声データ信号を圧縮符号化せずに非圧縮のままファイルマネージャ１２０へ送ってもよい。
【００２５】
メタデータ生成部１１６は、ホワイトバランス、ゲイン及び輝度レベルの変化に関する情報、音声データ信号がレベルオーバーしたという情報、撮影日時、撮影条件、撮影機器に関する情報、その他の設定情報などを受けて、これらの情報をメタデータとして生成する。そして、メタデータ生成部１１６は、メモリ１１７を介してファイルマネージャ１２０へ送る。
【００２６】
ＣＰＵ（Ｃｅｎｔｒａｌ  Ｐｒｏｃｅｓｓｉｎｇ  Ｕｎｉｔ）１１８は、プログラムによって演算処理装置及び制御装置として機能し、カメラ本体部１０１内に設けられた各構成要素の処理を制御することができる。例えば、ＣＰＵ１１８は、ユーザインタフェース１１９を介してユーザによって入力された撮影日時、撮影条件、撮影機器に関する情報、その他の設定情報などを取り込み、これらの情報をメタデータ生成部１１６へ送る。また、ＣＰＵ１１８は、ファイルマネージャ１２０からディスクドライブ１２１へのデータ出力、及びディスクドライブ１２１による記録メディアへのデータの記録を制御する。
【００２７】
ユーザインタフェース（Ｉ／Ｆ）１１９は、ユーザによる操作などを介して、ビデオプロセッサ１１０で生成する映像データ信号に対しホワイトバランスやゲイン等の画像調整等を行う。ユーザインタフェース１１９は、画像調整等が行われた場合、ホワイトバランスやゲイン等に関する情報をメタデータ生成部１１６に出力する。
【００２８】
ファイルマネージャ１２０は、メモリ１１２を介して受けた映像データ、メモリ１１５を介して受けた音声データ、メモリ１１７を介して受けたメタデータを、ファイルシステムを用いてファイル化処理し、ディレクトリ構造による並び順の管理などをする。ファイル化処理によって生成された映像データ、音声データ、メタデータは、ディスクドライブ１２１によって光ディスク１０に書き込まれる。
【００２９】
（２）プラグ接続検出装置の構成
次に、本発明の一実施形態である上記カムコーダに適用可能なプラグ接続検出装置の構成を説明するに当たり、まず接続端子にプラグ等が接続されたことを自動検出する従来の手段について簡単に説明する。図４は、従来の接続検出手段の概略を示したものである。図４において、接続端子４８には光入射孔４４および光出射孔４６が設けられており、発光素子４０から発光された光は、光入射孔４４に入射し、その後光出射孔４６を通過して受光素子４２へ到達する。この構成においては、プラグが接続端子４８に挿入されると、発光素子４０から受光素子４２へ向かう光が遮光され、受光素子が発生する検出信号に基づいて、プラグが接続端子４８に挿入されたことを自動検出することが可能である。
【００３０】
しかし、かかる従来の方式においては、接続端子を複数有するカムコーダ等においては、それぞれの接続端子に対して１対の素子、すなわち１の発光素子およびかかる発光素子に対応する１の受光素子が必要となってしまい、素子数の増加に伴い接続装置内のスペースを確保できないという問題が発生する。
【００３１】
この点本発明によれば、複数の接続端子を有するカムコーダ等においても、分光素子を設けることで、発光素子の数を増加することなく、接続装置内の省スペースを実現することが可能である。以下本発明に係る実施形態の例について説明する。
【００３２】
本発明の実施形態の１つとして、上述したカムコーダ１００に適用することが可能な、プラグ接続検出装置について説明する。図５は本実施形態に係るプラグ接続検出装置５００の正面図、図６は本実施形態に係るプラグ接続検出装置５００の斜視図、図７は図６におけるＡ−Ａ断面の断面図を示す。
【００３３】
プラグ接続検出装置５００は、図５に示すように、接続端子５１０（接続端子５１０ａおよび接続端子５１０ｂ）と、発光素子５２０と、かかる発光素子５２０から発光された光を受光する受光素子５３０（受光素子５３０ａおよび受光素子５３０ｂ）と、基板５４０と、フレーム５５０と、分光素子５６０とを主に備えている。フレーム５５０は、接続端子５１０を収納し、フレーム上部に基板５４０が固定されている。かかる基板５４０上には、発光素子５２０ならびに受光素子５３０が設置されている。さらに図７に示すように、接続端子５１０ａには、光入射孔５７０ａおよび光出射孔５８０ａが形成され、同様に接続端子５１０ｂには、光入射孔５７０ｂおよび光射孔５８０ｂが形成されている。
【００３４】
ここで上記の例としては、接続端子５１０は、プラグと接続するためのマイクロホンプラグ用の接続端子であり、例えばカムコーダ等の音声収録装置においては一般にＸＬＲコネクタ（メス）が使用されるが、ＸＬＲコネクタ（オス）を用いることもでき、その他の接続端子等も当然に使用することができるものである。プラグとは、例えば音声入力などに使用されるマイクロホンプラグ用の接続端子等を意味し、カムコーダ等の音声収録装置においては一般にＸＬＲコネクタ（オス）が使用されるが、ＸＬＲコネクタ（メス）を用いることもでき、その他の接続端子等も当然に使用することができるものである。
【００３５】
分光素子５６０は、１の発光素子５２０から発光された光を、反射させることで二分し、それぞれの光入射孔５７０ａおよび５７０ｂへ入射させ、その後それぞれの光出射孔５８０ａおよび５８０ｂを通過して、それぞれの受光素子５３０ａおよび５３０ｂへ到達させるように構成されている。すなわち、図７に示すように、１の発光素子５２０から発光された光は、分光素子５６０により二分され、一方は接続端子５１０ａ内を通過して受光素子５３０ａにより受光され、他方は接続端子５１０ｂ内を通過して受光素子５３０ｂにより受光されることとなる。
【００３６】
ここで、分光素子５６０は発光素子５２０から発光された光を反射して、目的となる受光素子５３０に到達させることを目的としており、例えばプリズムなどである。ここでプリズムとは、光を分散、屈折、全反射等させるための周囲の空気とは屈折率の異なるガラス、水晶などの透明な媒質をいう。図７に示す例においては、発光素子５２０から発光された光はプリズム内部で反射して、かかる光の進行方向が目的となる受光素子５３０の方向へと変更されるよう構成されている。しかし分光素子は、図７に示す一実施形態に限定されるものではない。例えば分光素子の反射面を多面体とするなど、既存の光学素子技術を適用することにより、受光素子の数に対応して３以上の方向に反射可能とすることも可能である。
【００３７】
さらに当該実施形態に係るプラグ接続検出装置５００は、接続検出回路を有する基板５９０を備えており、受光素子５３０からの信号を検出するように構成されている。ここで受光素子５３０からの信号は、例えば受光素子５３０が発光素子５２０から発光された光を受光しているか否かにより異なった信号を発信することができるものである。すなわち、接続検出回路は、受光素子５３０からの信号を検出することにより、受光素子５３０が発光素子５２０から発光された光を受光しているか否かを検出することが可能なように構成されている。なお接続検出回路の詳細は、当業者であれば当然に想到することができるものであるため、ここでは省略する。
【００３８】
（３）プラグ接続検出装置の適用例
上記のように構成されたプラグ接続検出装置５００は、様々な装置に適用可能であるが、以下上記のカムコーダ１００へ適用した一実施形態について説明する。図３は、当該カムコーダ１００の一部背面図である。例えばプラグ接続検出装置５００は、カムコーダ１００の背面下部に組み込まれ、背面カバー１６４で覆われている。背面カバー１６４は、２つの接続端子挿入孔１６０が設けられ、それぞれの接続端子挿入孔１６０にプラグ接続検出装置５００の接続端子５１０を露出させることができる。かかる接続端子５１０に、外部マイクロホンのプラグ１６２を接続することで、これらの音声をカムコーダ１００で収録することが可能となる。なお接続検出装置５００のカムコーダ１００への組み込みは、カムコーダ１００の背面下部に限定されるものではなく、設計変更等に応じた位置変更等が当然に可能であるが了解される。
【００３９】
上記プラグ接続検出装置５００を有するカムコーダ１００においては、例えばユーザがプラグ１６２を接続端子５１０ａまたは接続端子５１０ｂのいずれか一方に、または接続端子５１０ａおよび接続端子５１０ｂの両方に挿入した場合、以下に示すようにこれらのプラグ１６２がプラグ接続検出装置５００に接続されたことを自動検出することができる。
【００４０】
通常プラグ１６２が、接続端子５１０ａおよび接続端子５１０ｂに挿入されていない場合においては、発光素子５２０から発光された光は、分光素子５６０により反射され、受光素子５３０ａおよび受光素子５３０ｂにより受光される。また、受光素子５３０ａおよび受光素子５３０ｂからの信号により接続検出回路は、受光素子５３０ａまたは受光素子５３０ｂのいずれが、または両方が発光素子５２０からの光を受光していることを認識することができる。次にプラグ１６２が、ユーザによりプラグ接続検出装置５００の接続端子５１０ａに挿入されると、発光素子５２０から発光された光は、分光素子５６０により反射された後、受光素子５３０ａへと向かう途中で遮光されることとなる。これにより、受光素子５３０ａから発信される信号に変化が生じ、かかる信号の変化を接続検出回路が検出することにより、接続端子５１０ａにプラグ１６２が挿入されたことを認識することが可能となる。
【００４１】
その後、ユーザがプラグ１６２を接続端子５１０ａから外した場合、プラグ１６２により遮光されていた、発光素子５２０から発光され分光素子５６０により反射された光が、再び受光素子５３０ａにおいて受光されることとなる。これにより、受光素子５３０ａから発信される信号に変化が生じ、かかる信号の変化を接続検出回路が検出することにより、接続端子５１０ａにプラグ１６２が挿入されていないことを認識することが可能となる。
【００４２】
同様に、プラグ１６２が、ユーザによりプラグ接続検出装置５００の接続端子５１０ｂに挿入されると、発光素子５２０から発光された光は、分光素子５６０により反射された後、受光素子５３０ｂへと向かう途中で遮光されることとなる。これにより、受光素子５３０ｂから発信される信号に変化が生じ、かかる信号の変化を接続検出回路が検出することにより、接続端子５１０ｂにプラグ１６２が挿入されたことを認識することが可能となる。
【００４３】
その後、ユーザがプラグ１６２を接続端子５１０ｂから外した場合、プラグ１６２により遮光されていた、発光素子５２０から発光され分光素子５６０により反射された光が、再び受光素子５３０ｂにおいて受光されることとなる。これにより、受光素子５３０ｂから発信される信号に変化が生じ、かかる信号の変化を接続検出回路が検出することにより、接続端子５１０ｂにプラグ１６２が挿入されていないことを認識することが可能となる。
【００４４】
さらには、プラグ１６２が、ユーザによりプラグ接続検出装置５００の接続端子５１０ａおよび接続端子５１０ｂに挿入されると、発光素子５２０から発光された光は、分光素子５６０により反射された後、受光素子５３０ａおよび受光素子５３０ｂへと向かうそれぞれの光が遮光されることとなる。これにより、受光素子５３０ａおよび受光素子５３０ｂから発信されるそれぞれの信号に変化が生じ、かかるそれぞれの信号の変化を接続検出回路が検出することにより、接続端子５１０ａおよび接続端子５１０ｂにそれぞれプラグ１６２が挿入されたことを認識することが可能となる。
【００４５】
その後、ユーザがそれぞれのプラグ１６２を接続端子５１０ａおよび接続端子５１０ｂから外した場合、プラグ１６２により遮光されていた、発光素子５２０から発光され分光素子５６０により反射されたそれぞれの光が、再び受光素子５３０ａおよび受光素子５３０ｂにおいて受光されることとなる。これにより、受光素子５３０ａおよび受光素子５３０ｂから発信される信号に変化が生じ、かかるそれぞれの信号の変化を接続検出回路が検出することにより、接続端子５１０ａおよび接続端子５１０ｂにプラグ１６２が挿入されていないことを認識することが可能となる。
【００４６】
表１は、上記実施形態の検出状態パターンを表したものである。ここで、図中の「受光」は、受光素子５３０が発光素子５２０からの光を受光していることを意味し、「遮光」は、発光素子５２０から受光素子５３０へ向かう光が遮光されていることを意味する。また「未接続」は、プラグ１６２がプラグ接続検出装置５００に接続されていないことを意味し、「接続中」は、プラグ１６２が、プラグ接続検出装置５００に接続されていることを意味する。
【００４７】
表１より、本発明のプラグ接続検出装置５００は、発光素子５２０から受光素子５３０ａへと向かう光（光５２０−５３０ａ）、および発光素子５２０から受光素子５３０ｂへと向かう光（５２０−５３０ｂ）がプラグ１６２により遮光されていない場合には、プラグ１６２がいずれの接続端子にも挿入されていないことを、自動検出していることがわかる。また光５２０−５３０ａのみが遮光され、光５２０−５３０ｂが遮光されていない場合には、接続端子５１０ａのみにプラグ１６２が挿入され、接続端子５１０ｂにはプラグ１６２が挿入されていないことを自動検出する。同様に、光５２０−５３０ｂのみが遮光され、光５２０−５３０ａが遮光されていない場合には、接続端子５１０ｂのみにプラグ１６２が挿入され、接続端子５１０ａにはプラグ１６２が挿入されていないことを、自動検出する。さらには、光５２０−５３０ａおよび光５２０−５３０ｂのいずれもが遮光されている場合には、接続端子５１０ａならびに接続端子５１０ｂのいずれにもプラグ１６２が挿入されていることを、自動検出していることがわかる。
【表１】
2009152005.tif 000003
【００４８】
なお、上記実施形態については、１対の接続端子５１０ａおよび接続端子５１０ｂを有するプラグ接続検出装置５００について説明したが、本発明はこれに限定されるものではなく、３以上の接続端子を有する場合にも適用することが容易であり、これらについても本発明の技術的範囲となることが了解される。例えば図１０に示すように、４つの接続端子５１０を有するプラグ接続検出装置６００においても、反射面を多面体とした分光素子６６０を用いるなど、既存の光学素子の技術を用いることにより当然に適用することが可能である。
【００４９】
図８は、本発明の別の実施形態における一体フレーム８００を示し、当該一体フレーム８００は、接続端子５１０を収納するフレーム部８１０と、分光素子部８２０とが一体的に構成されている。かかる構成においては、一体フレーム８００はガラス、水晶などの透明部材から成り、分光素子部８２０が一体的に成形されることにより、プラグ接続検出装置５００の省スペース化および分光素子の位置出しを不要とすることができる。具体的に説明すると、仮に発光素子５２０および受光素子５３０を有する基板５４０が固定されるフレーム５５０と、分光素子５６０が別部品から構成される場合においては、発光素子５２０から発光される光が、それぞれの受光素子５３０ａおよび５３０ｂに向かうように分光素子５６０の位置を調節する必要が生じてしまう。一方、本実施形態のフレーム部８１０と分光素子部８２０とを一体で成形した一体フレーム８００においては、常に分光素子部８２０が一体フレーム８００に対して一定位置に固定されるため、前記位置調節をする必要なく発光素子５２０から発光される光を分光素子部８２０において反射し、それぞれの受光素子５３０ａおよび５３０ｂへと到達させることが可能となる。
【００５０】
図９は、本発明の別の実施形態に係るプラグ接続検出装置９００の斜視図である。当該プラグ接続検出装置９００は、切り替えスイッチ９１０、および能動素子を備えた基板９２０を備えている。以下にプラグ接続検出装置９００を、カムコーダ１００に適用した実施形態について説明する。
【００５１】
図３に示すように、当該プラグ接続検出装置９００は、カムコーダ１００の背面下部に組み込まれ、背面カバー１６４で覆われている。背面カバー１６４は、２つの切り替えスイッチ用孔１６６が設けられ、それぞれの切り替えスイッチ用孔１６６にプラグ接続検出装置９００の切り替えスイッチ９１０を露出させることができる。
【００５２】
ここで、切り替えスイッチ９１０は、例えば入力音声の音源を切り替えるスイッチであり、具体的な例としては、ＬＩＮＥ入力、マイクロホン入力、ＡＥＳ／ＥＢＵ入力のいずれかに切り替えることができるスイッチである。すなわち、接続端子５１０にプラグ１６２が接続された場合、切り替えスイッチ９１０の位置により、入力音声の音源を、ＬＩＮＥ入力するオーディオ機器、マイクロホン入力、ＡＥＳ／ＥＢＵフォーマットのデジタル音声信号のいずれかに切り替えて音声収録をすることが可能となる。前記能動素子は、前記切り替えスイッチ９１０の位置を判断し、外部入力による音声信号を、切り替えスイッチ９１０の位置に応じた音源からの音声信号として、音声収録する処理回路を活性化することができる。なお、当該プラグ接続検出装置９００は、前記実施形態におけるプラグ接続検出装置５００と同様に、発光素子５２０、分光素子５６０、受光素子５３０等を備えることにより接続端子５１０のプラグ接続の有無を自動検出することも当然に可能である。
【００５３】
したがって、本実施形態に係るプラグ接続検出装置９００を備えるカムコーダ１００では、切り替えスイッチ９１０がマイクロホン入力に位置している場合に、接続端子５１０にプラグ１６２が接続されたことをプラグ接続検出装置９００が検出すると、プラグ接続検出装置９００の能動素子により、外部入力による音声信号をマイクロホン入力とし音声収録する処理回路が活性化され、当該音声収録が実行される。同様にプラグ接続検出装置９００により、切り替えスイッチ９１０がＬＩＮＥ入力に位置している場合にはＬＩＮＥ入力するオーディオ機器からの音声信号として、ＡＥＳ／ＥＢＵに位置している場合にはＡＥＳ／ＥＢＵフォーマットのデジタル音声信号として、音声収録する処理回路が活性化され、当該音声収録が実行される。
【００５４】
なお、切り替えスイッチ９１０による処理は、上記音源選択に限定されるものでなく、種々の機能選択として適用することが可能である。
【００５５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５６】
例えば、上記実施形態では、プラグ接続検出装置を有するカムコーダについて説明したが、本発明はかかる例に限定されない。例えば、他の映像装置や音響機器等にも適用してもよい。また、上記実施形態では、接続端子を２つ有するプラグ接続検出装置について主に説明したが、３以上の接続端子を有する場合においても、分光素子の反射面を多面体にするなど、既存の光学素子の技術を用いることにより、当然に適用可能であることが容易に想到され、本発明の技術的範囲に当然に含まれるものである。
【図面の簡単な説明】
【００５７】
【図１】本発明の一実施形態に係るカムコーダの全体構成を示す外観図である。
【図２】図１のカムコーダの回路構成を示すブロック図である。
【図３】図１のカムコーダの一部背面図である。
【図４】従来のプラグ接続検出装置の概略図である。
【図５】本発明の一実施形態に係るプラグ接続検出装置の正面図である。
【図６】図５のプラグ接続検出装置の斜視図である。
【図７】図６のプラグ接続検出装置の断面図である。
【図８】本発明の一実施形態に係るフレームの外観図である。
【図９】本発明の一実施形態に係る切り替えスイッチを有するプラグ接続検出装置の斜視図である。
【図１０】本発明の一実施形態において接続端子を４つ有するプラグ接続検出装置の概念図である。
【符号の説明】
【００５８】
１００    カムコーダ
１０１    カメラ本体
１０３    ＣＣＤカメラ
１０４    マイクロホン
１１０    ビデオプロセッサ
１１１    エンコーダ
１１２、１１５、１１７    メモリ
１１３    オーディオプロセッサ
１１４    オーディオ圧縮部
１１６    メタデータ生成部
１１８    ＣＰＵ
１１９    ユーザＩ／Ｆ
１２０    ファイルマネージャ
１２１    ディスクドライブ
１５０    カムコーダ用アダプタ
１５１    マルチＰＣカードアダプタ
１６０    接続端子挿入孔
１６２    プラグ
１６４    背面カバー
１６６    切り替えスイッチ用孔
１８０    バッテリ
５００、６００、９００    プラグ接続検出装置
５１０    接続端子
５２０    発光素子
５３０    受光素子
５４０、５９０、９２０    基板
５５０    フレーム
５６０、６６０    分光素子
５７０    光入射孔
５８０    光出射孔
８００    一体フレーム
８１０    フレーム部
８２０    分光素子部
９１０    切り替えスイッチ
【図１】
2009152005.tif 000004
【図２】
2009152005.tif 000005
【図３】
2009152005.tif 000006
【図４】
2009152005.tif 000007
【図５】
2009152005.tif 000008
【図６】
2009152005.tif 000009
【図７】
2009152005.tif 000010
【図８】
2009152005.tif 000011
【図９】
2009152005.tif 000012
【図１０】
2009152005.tif 000013